(57)【要約】【課題】電話機紛失等の過失により、重要な個人情報である相手先電話番号の漏洩を防止する。【解決手段】本発明は、電話機から通信を希望する相手の電話番号を交換機に送信し、  交換機は、電話機に相手の電話番号に１対１に対応する識別情報を通知すると共に、記憶手段の該電話機の回線用の番号変換テーブルに該識別情報と該相手の電話番号を対応付けて登録し、電話機は、識別情報と相手を特定するための識別名を対応付けて電話帳記憶手段に格納し、電話機からユーザから発信先の識別名が選択されると、該識別名に基づいて電話帳記憶手段を参照して、該識別名に対応する識別情報を交換機に送信し、交換機は、電話機から受信した識別情報と該電話機の回線に基づいて、番号変換テーブルを参照して、相手の電話番号を取得して、パスを確立する。【選択図】図１
2009278337.tif 000002
【特許請求の範囲】
【請求項１】
利用者が電話機より通信希望相手を秘匿して発信し、当該通信希望相手との通話コネクションを設定し、通話する電話番号秘匿型電話通信方法であって、
電話機から通信を希望する相手の電話番号を交換機に送信し、
前記交換機は、前記電話機に前記相手の電話番号に対応する識別情報を通知すると共に、記憶手段の該電話機の回線用の番号変換テーブルに該識別情報と該相手の電話番号を対応付けて登録し、
前記電話機は、前記識別情報と相手を特定するための識別名を対応付けて電話帳記憶手段に格納し、
前記電話機からユーザから発信先の識別名が選択されると、該識別名に基づいて前記電話帳記憶手段を参照して、該識別名に対応する識別情報を前記交換機に送信し、
前記交換機は、前記電話機から受信した前記識別情報と該電話機の回線に基づいて、
前記番号変換テーブルを参照して、相手の電話番号を取得して、パスを確立する
ことを特徴とする電話番号秘匿型電話通信方法。
【請求項２】
利用者が電話機より通信希望相手を秘匿して発信し、当該通信希望相手との通話コネクションを設定し通話する電話番号秘匿型電話通信方法であって、
電話機から通信を希望する相手の電話番号と、該電話番号に対応する識別情報を交換機に送信し、
前記交換機は、前記相手の電話番号に基づいて該電話番号と前記電話機の電話番号とのパスを確立し、該相手の電話番号と前記識別情報を対応付けて、記憶手段の前記電話機の回線用の番号変換テーブルに登録し、
前記電話機は、前記識別情報と相手を特定するための識別名を対応付けて電話帳記憶手段に登録しておき、次回から、ユーザに指定された識別名に対応する識別情報を該電話帳記憶手段から取得して発信する
ことを特徴とする電話番号秘匿型電話通信方法。
【請求項３】
利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、
前記交換機は、
前記電話機から通信を希望する相手の電話番号を取得すると、該相手の電話番号に対応する識別情報を該電話機に通知する識別情報通知手段と、
記憶手段の該電話機の回線用の番号変換テーブルに前記識別情報と前記相手の電話番号を対応付けて登録するテーブル登録手段と、
前記電話機から前記識別情報が通知されると、該電話機の回線用の前記番号変換テーブルから該識別情報に基づいて相手の電話番号を取得する変換手段と、
前記相手の電話番号の電話機と前記電話機との呼を確立する接続手段と、を有し、
前記電話機は、
通信を希望する相手の電話番号を交換機に送信する番号登録要求手段と、
前記交換機から取得した前記識別情報と前記相手を特定するための識別名を対応付けて電話帳記憶手段に格納する電話帳登録手段と、
ユーザから発信先の識別名が選択されると、該識別名に基づいて前記電話帳記憶手段を参照して、該識別名に対応する識別情報を前記交換機に送信する発信要求手段と、を有する
ことを特徴とする電話番号秘匿型電話通信システム。
【請求項４】
利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、
前記電話機は、
通信を希望する相手の電話番号と、該電話番号に対応する識別情報を交換機に送信する番号通知手段と、
前記識別情報と相手を特定するための識別名を対応付けて電話帳記憶手段に登録する対応番号登録手段と、
ユーザに指定された識別名に対応する識別情報を該電話帳記憶手段から取得して、前記交換機に発信する発信手段と、を有し、
前記交換機は、
前記電話機から取得した前記相手の電話番号に基づいて該電話番号と該電話機の電話番号のパスを確立する接続手段と、
前記相手の電話番号と前記識別情報を対応付けて、記憶手段の前記電話機の回線用の番号変換テーブルに登録するテーブル登録手段と、
前記電話機から前記識別情報が通知されると、該識別情報に基づいて前記番号変換テーブルを参照して、該識別情報に対応する相手の電話番号を取得して、該電話機と該相手の電話番号とのパスを確立する変換手段と、を有する
ことを特徴とする電話番号秘匿型電話通信システム。
【請求項５】
利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、該電話機内部、または、該交換機内部、または、該電話機、該交換機とは独立して設けられる番号変換手段を有し、
前記番号変換手段は、
前記電話機から通信を希望する相手の電話番号を取得すると、該相手の電話番号に対応する識別情報を該電話機に通知する識別情報通知手段と、
記憶手段の該電話機の回線用の番号変換テーブルに前記識別情報と前記相手の電話番号を対応付けて登録するテーブル登録手段と、
前記電話機から前記識別情報が通知されると、該電話機の回線用の前記番号変換テーブルから該識別情報に基づいて相手の電話番号を取得する変換手段と、
前記電話機の電話番号と前記相手の電話番号を前記交換機に通知する番号通知手段と、を有し、
前記電話機は、
通信を希望する相手の電話番号を前記番号変換手段に送信する登録要求手段と、
前記交換機から取得した前記識別情報と前記相手を特定するための識別名を対応付けて電話帳記憶手段に格納する電話帳登録手段と、
ユーザから発信先の識別名が選択されると、該識別名に基づいて前記電話帳記憶手段を参照して、該識別名に対応する識別情報を前記番号変換手段に送信する発信要求手段と、を有し、
前記交換機は、
前記番号変換手段から前記電話機の電話番号と前記相手の電話番号を取得して、両者間のパスを確立する手段を有する
ことを特徴とする電話番号秘匿型電話通信システム。
【請求項６】
利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、該電話機内部、または、該交換機内部、または、該電話機、該交換機とは独立して設けられる番号変換手段を有し、
前記電話機は、
通信を希望する相手の電話番号と、該電話番号に対応する識別情報を前記番号変換手段に送信する番号通知手段と、
前記識別情報と相手を特定するための識別名を対応付けて電話帳記憶手段に登録する対応番号登録手段と、
ユーザに指定された識別名に対応する識別情報を該電話帳記憶手段から取得して前記番号変換手段に通知する発信手段と、を有し、
前記番号変換手段は、
前記電話機の電話番号と、該電話機から取得した前記相手の電話番号を交換機に通知する手段と、
前記電話機から取得した前記識別情報と前記相手の電話番号を記憶手段の該電話機の回線用の番号変換テーブルに登録するテーブル登録手段と、
前記電話機から前記識別情報が通知されると、該識別情報に基づいて前記番号変換テーブルを参照して、該識別情報に対応する相手の電話番号を取得して、前記交換機に通知する変換手段と、を有し、
前記交換機は、
前記番号変換手段から取得した前記電話機の電話番号と前記相手の電話番号に基づいて該電話番号とのパスを確立する接続手段を有する、
ことを特徴とする電話番号秘匿型電話通信システム。
【発明の詳細な説明】
【技術分野】
【０００１】
本発明は、電話番号秘匿型電話通信方法及びシステムに係り、特に、利用者が電話機を操作して、通信希望相手を指定して発信し、当該通信希望相手との通話コネクションを設定し、通話する電話番号秘匿型電話通信方法及びシステムに関する。
【背景技術】
【０００２】
利用者は、電話をかける場合、電話機に通信希望相手の電話番号をダイヤルする。電話機は電話番号を、音響信号（ＰＢ／ＤＰ／デジタル信号に変換して回線交換装置に伝える。回線交換装置は受信した電話番号で、相手電話機との通話コネクションを設定する。
【０００３】
また、昨今の電子化電話機（代表的には携帯電話機等）では、電話機に相手のニックネーム並びに電話番号を電話帳に蓄積するものがあり（例えば、特許文献１参照）、これらにおいては、通信希望相手を電話帳から選択することで発信可能としているものもあるが、図１０に示すように、電話機１０と交換装置１１間においては、前述と同様の動作であった。
【特許文献１】特開昭６２-１６８４５０号公報
【発明の開示】
【発明が解決しようとする課題】
【０００４】
上記の従来技術では、利用者並びに電話機に蓄積された電話帳で、通信希望相手をユニークに指定可能な電話番号を用いて通信を行うことから、端末紛失時に、あることからその情報が第三者に漏洩する危険があった。
【０００５】
本発明は、上記の点に鑑みなされたもので、電話機紛失等の過失により、重要な個人情報である相手先電話番号の漏洩を防止可能な電話番号秘匿型電話通信方法及びシステムを提供することを目的とする。
【課題を解決するための手段】
【０００６】
図１は、本発明の原理を説明するための図である。
【０００７】
本発明（請求項１）は、利用者が電話機より通信希望相手を秘匿して発信し、当該通信希望相手との通話コネクションを設定し通話する電話番号秘匿型電話通信方法であって、
電話機から通信を希望する相手の電話番号を交換機に送信し（ステップ１）、
交換機は、電話機に相手の電話番号に対応する識別情報を通知する（ステップ２）と共に、記憶手段の該電話機の回線用の番号変換テーブルに該識別情報と該相手の電話番号を対応付けて登録し（ステップ３）、
電話機は、識別情報と相手を特定するための識別名を対応付けて電話帳記憶手段に格納し（ステップ４）、
電話機からユーザから発信先の識別名が選択されると（ステップ５）、該識別名に基づいて電話帳記憶手段を参照して（ステップ６）、該識別名に対応する識別情報を交換機に送信し（ステップ７）、
交換機は、電話機から受信した識別情報と該電話機の回線に基づいて、
番号変換テーブルを参照して、相手の電話番号を取得して（ステップ８）、パスを確立する（ステップ９）。
【０００８】
本発明（請求項２）は、利用者が電話機より通信希望相手を秘匿して発信し、当該通信希望相手との通話コネクションを設定し通話する電話番号秘匿型電話通信方法であって、
電話機から通信を希望する相手の電話番号と、該電話番号に対応する識別情報を交換機に送信し、
交換機は、相手の電話番号に基づいて該電話番号とのパスを確立し、該相手の電話番号と識別情報を対応付けて、記憶手段の電話機の回線用の番号変換テーブルに登録し、
電話機は、識別情報と相手を特定するための識別名を対応付けて電話帳記憶手段に登録しておき、次回から、ユーザに指定された識別名に対応する識別情報を該電話帳記憶手段から取得して発信する。
【０００９】
図２は、本発明の原理構成図である。
【００１０】
本発明（請求項３）は、利用者が電話機より通信希望相手を秘匿して発信し、当該通信希望相手との通話コネクションを設定し通話する電話番号秘匿型電話通信システムであって、
複数の電話機１００と交換機２００が電話回線により接続されているシステムにおいて、
交換機２００は、
電話機１００から通信を希望する相手の電話番号を取得すると、該相手の電話番号に対応する識別情報を該電話機に通知する識別情報通知手段２４１と、
記憶手段の該電話機の回線用の番号変換テーブル２３０に識別情報と相手の電話番号を対応付けて登録するテーブル登録手段２４２と、
電話機１００から識別情報が通知されると、該電話機の回線用の番号変換テーブル２３０から該識別情報に基づいて相手の電話番号を取得する変換手段２２０と、
相手の電話番号の電話機３００と電話機１００との呼を確立する接続手段２５０と、を有し、
電話機１００は、
通信を希望する相手の電話番号を交換機２００に送信する番号登録要求手段１２１と、
交換機２００から取得した識別情報と相手を特定するための識別名を対応付けて電話帳記憶手段１１０に格納する電話帳登録手段１２２と、
ユーザから発信先の識別名が選択されると、該識別名に基づいて電話帳記憶手段１１０を参照して、該識別名に対応する識別情報を交換機に送信する発信要求手段１２３と、を有する。
【００１１】
本発明（請求項４）は、利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、
電話機は、
通信を希望する相手の電話番号と、該電話番号に対応する識別情報を交換機に送信する番号通知手段と、
識別情報と相手を特定するための識別名を対応付けて電話帳記憶手段に登録する対応番号登録手段と、
ユーザに指定された識別名に対応する識別情報を該電話帳記憶手段から取得して交換機に発信する発信手段と、を有し、
交換機は、
電話機から取得した相手の電話番号に基づいて該電話番号とのパスを確立する接続手段と、
相手の電話番号と識別情報を対応付けて、記憶手段の電話機の回線用の番号変換テーブルに登録するテーブル登録手段と、
電話機から識別情報が通知されると、該識別情報に基づいて番号変換テーブルを参照して、該識別情報に対応する相手の電話番号を取得して、該電話機と該相手の電話番号とのパスを確立する変換手段と、を有する。
【００１２】
本発明（請求項５）は、利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、該電話機内部、または、該交換機内部、または、該電話機、該交換機とは独立して設けられる番号変換手段を有し、
番号変換手段は、
電話機から通信を希望する相手の電話番号を取得すると、該相手の電話番号に対応する識別情報を該電話機に通知する識別情報通知手段と、
記憶手段の該電話機の回線用の番号変換テーブルに識別情報と相手の電話番号を対応付けて登録するテーブル登録手段と、
電話機から識別情報が通知されると、該電話機の回線用の番号変換テーブルから該識別情報に基づいて相手の電話番号を取得する変換手段と、
電話機の電話番号と相手の電話番号を交換機に通知する番号通知手段と、を有し、
電話機は、
通信を希望する相手の電話番号を番号変換手段に送信する登録要求手段と、
交換機から取得した識別情報と相手を特定するための識別名を対応付けて電話帳記憶手段に格納する電話帳登録手段と、
ユーザから発信先の識別名が選択されると、該識別名に基づいて電話帳記憶手段を参照して、該識別名に対応する識別情報を番号変換手段に送信する発信要求手段と、を有し、
交換機は、
番号変換手段から電話機の電話番号と相手の電話番号を取得して、両者間のパスを確立する手段を有する。
【００１３】
本発明（請求項６）は、利用者が電話機より通信希望相手を秘匿して発信し、当該通信希望相手との通話コネクションを設定し通話する電話番号秘匿型電話通信システムであって、
複数の電話機と交換機が電話回線により接続されているシステムにおいて、該電話機内部、または、該交換機内部、または、該電話機、該交換機とは独立して設けられる番号変換手段を有し、
電話機は、
通信を希望する相手の電話番号と、該電話番号に対応する識別情報を番号変換手段に送信する番号通知手段と、
識別情報と相手を特定するための識別名を対応付けて電話帳記憶手段に登録する対応番号登録手段と、
ユーザに指定された識別名に対応する識別情報を該電話帳記憶手段から取得して番号変換手段に通知する発信手段と、を有し、
番号変換手段は、
電話機の電話番号と、該電話機から取得した相手の電話番号を交換機に通知する手段と、
電話機から取得した識別情報と相手の電話番号を記憶手段の該電話機の回線用の番号変換テーブルに登録するテーブル登録手段と、
電話機から識別情報が通知されると、該識別情報に基づいて番号変換テーブルを参照して、該識別情報に対応する相手の電話番号を取得して、交換機に通知する変換手段と、を有し、
交換機は、
番号変換手段から取得した電話機の電話番号と相手の電話番号に基づいて該電話番号とのパスを確立する接続手段を有する。
【発明の効果】
【００１４】
上記のように本発明によれば、電話機に電話番号を登録するのではなく、電話機の回線毎に変換テーブルを、交換機もしくは電話機と交換機との中間に設置し、利用者が通信希望相手固有の電話番号の取扱を最小限にすることで、電話による通信を可能とすることにより、電話機紛失等の過失による相手先電話番号の漏洩を回避することができる。
【発明を実施するための最良の形態】
【００１５】
以下、図面と共に本発明の実施の形態を説明する。
【００１６】
以下の説明において、「相手電話番号」とは、相手の電話機を本サービス全体の中でユニークに特定できる電話番号を指す。また、「相手識別名」とは、当該電話機の中でのみユニークで論理的に相手電話番号と対応付けられている。「電話機」とは、携帯端末等の電話機、端末、回線を指すものとする。
【００１７】
図３は、本発明の一実施の形態におけるシステム構成図である。
【００１８】
同図に示す構成は、通信回線に接続された発信側電話機１００、交換機２００、相手電話機３００から構成される。
【００１９】
発信側電話機１００は、電話帳メモリ１１０、送受信部１２０を有する。電話帳メモリ１１０には、電話機ＩＤ、ニックネーム（または、氏名でも可）等の相手を当該ユーザが特定可能な識別名、当該識別名に対応する相手の電話番号（０４６−８＊９−２０１６）以外の電話番号が設定された識別情報（例えば、０００−０００−００１１）が格納される。送受信部１２０は、受信機能、利用者が交換機２００に登録した電話番号に対応する識別名及び当該交換機２００から取得した識別情報を電話帳メモリ１１０に格納する機能、利用者から選択された電話帳メモリ１１０の識別名に対応する識別情報を取得する機能、発信機能等を有する。
【００２０】
交換機２００は、電話機ＩＤ保持部２１０、変換部２２０、変換テーブル記憶部２３０、交換制御部２４０、回線交換部２５０から構成される。
【００２１】
本システムにおいて、利用者は相手先番号登録（フェーズ１）と通話操作（フェーズ２）を行う。
【００２２】
フェーズ１の発信者側が相手先電話番号を登録する際には、交換機２００が、回線毎に設定される変換テーブルを変換テーブル記憶部２３０に設け、相手の識別情報と相手の実際の電話番号の対応を登録する。
【００２３】
また、変換テーブルへの登録方法としては、
・端末契約時に登録する方法；
・別の通信手段（例えばＷｅｂ等）で登録する方法；
・通話操作で登録する方法；
等の方法があり、これらの組み合わせでいくつかのパターンが考えられる。
【００２４】
フェーズ２の通話操作では、利用者が電話機操作により相手の識別名を指定し、コネクション接続を要求することで通話を行う。
【００２５】
以下に、交換機２００に対する相手先番号登録の動作を２つ示す。
【００２６】
図４は、本発明の一実施の形態における相手先番号登録の動作のシーケンスチャート（その１）である。
【００２７】
まず、ユーザが通信相手の電話番号Ａをダイヤルすると（ステップ１０１）、電話機１００の送受信部１２０は、交換機２００の交換制御部２４０に当該電話番号Ａを送信する（ステップ１０２）。なお、このとき、電話番号Ａは電話機１００内のメモリ（図示せず）に一時的に格納されているものとする。交換制御部２４０は、回線交換部２５０に電話番号Ａを送信するのと同時に、当該電話番号Ａに対応する識別情報ａを発行し（ステップ１０３）、それを電話機１００に通知する（ステップ１０４）。さらに、交換制御部２４０は、変換テーブル記憶部２３０に相手先の電話番号Ａと識別情報ａを格納する（ステップ１０４）。電話機１００は、通知された識別情報ａを電話機１００内の電話帳メモリ１１０に格納し（ステップ１０５）、交換制御部２４０より電話番号消去の指示が通知されると（ステップ１０６）、メモリ（図示せず）に格納されているダイヤルした相手先の電話番号Ａを消去し（ステップ１０７）、ユーザから入力されたニックネーム等の識別名を上記の識別情報ａと対応付けて電話帳メモリ１１０に登録する（ステップ１０８）
図５は、本発明の一実施の形態における相手先番号登録の動作のシーケンスチャート（その２）である。
【００２８】
まず、ユーザが相手先の電話番号Ａをダイヤルすると（ステップ２０１）、電話機１００は、当該電話番号Ａに対応する識別情報ａを自動生成、または、ユーザの入力により発行し（ステップ２０２）、電話番号Ａと識別情報ａを交換制御部２４０に送信する（ステップ２０３）。なお、このとき、電話番号Ａは電話機１００内のメモリ（図示せず）に一時的に格納されているものとする。交換制御部２４０は、電話番号Ａを回線交換部２５０に送信し（ステップ２０４）、回線交換部２５０は、電話番号Ａとのパスを確立する（ステップ２０５）。さらに、電話番号Ａと識別情報ａの組を変換テーブル記憶部２３０に格納する（ステップ２０６）。電話機１００は、識別情報ａを電話帳メモリ１１０に登録し（ステップ２０７）、交換制御部２４０から電話番号の消去指示が通知されると（ステップ２０８）、メモリ（図示せず）に格納されていた当該電話番号Ａを消去する（ステップ２０９）。そして、ユーザから入力されたニックネーム等の識別名をステップ２０２で発行された識別情報ａと対応付けて電話帳メモリ１１０に登録する（ステップ２０９）。
【００２９】
上記のように相手先番号を登録することにより、ユーザの操作はこれまでの電話帳登録操作と同じであり、ユーザの負担が増えることはない。
【００３０】
次に本システムの動作を説明する。
【００３１】
図６は、本発明の一実施の形態におけるシステムの利用時の動作を説明するための図である。
【００３２】
（１）まず、電話機１００の電話帳メモリ１１０の内容を表示して、ユーザからニックネーム等の相手の識別名が選択されると、当該識別名に対応する相手の識別情報を交換機に送信する。これにより交換機２００の変換部２２０は、識別情報に基づいて変換テーブル記憶部２３０を参照して相手電話番号を取得する。
【００３３】
（２）交換機２００の変換部２２０は、取得した相手電話番号を交換制御部２４０に渡す。
【００３４】
（３）交換制御部２４０は、交換制御信号を回線交換部２５０に送信する。
【００３５】
（４）回線交換部２５０は回線を接続して呼を確立する。
【００３６】
次に、具体的な電話番号の変換の例を示す。
【００３７】
図７は、本発明の一実施の形態におけるテーブルの例を示し、図８は、本発明の一実施の形態における情報の変換のイメージ図である。
【００３８】
図７（ａ）は、電話機ＩＤ「ｍ」の電話帳メモリ１１０であり、図７（ｂ）、は、電話機ＩＤ「ｎ」の電話帳メモリ１１０であり、図７（ｃ）は、交換機２００の変換テーブル記憶部２３０のテーブルを示す。変換テーブル記憶部２３０は、図７に示すように、各電話回線毎に識別情報と変換電話番号（相手先電話番号）を有する。
【００３９】
ここで、電話機ＩＤ「ｍ」のユーザが画面等でニックネーム（識別名）「ｂｂｂ」を選択したとする。送受信部１２０は、電話帳メモリ１１０から当該「ｂｂｂ」に対応する識別情報として「０００−０００−００９８」を取得し、当該番号で交換機２００に発信する。これにより、交換機２００の変換部２２０は、当該識別情報「０００−０００−００９８」に基づいて変換テーブル記憶部２３０を参照し、当該識別情報に対応する電話番号「０４６−８＊９−２３３４」を取得し、交換制御部２４０、回線交換部２５０を介して当該相手先電話番号とのパスを確立する。
【００４０】
一方、電話機ＩＤ「ｎ」のユーザが、画面等でニックネーム「ｃｃｃ」を選択したとする。送受信部１２０は、電話帳メモリ１１０から当該「ｃｃｃ」に対応する識別情報として「０００−０００−００３１」を取得し、当該番号で交換機２００に発信する。これにより、交換機２００の変換部２２０は、当該識別情報「０００−０００−００３１」に基づいて変換テーブル記憶部２３０を参照し、当該識別情報に対応する相手先の電話番号「０４６−８＊９−２３３４」を取得し、交換制御部２４０、回線交換部２５０を介して当該相手先電話番号とのパスを確立する。
【００４１】
また、電話機ＩＤ「ｍ」に登録されているニックネームと、電話機ＩＤ「ｎ」に登録されているニックネームに同じ「ｂｂｂ」が登録されているが、それぞれの電話機毎に異なる識別名が設定されているため、同じニックネーム「ｂｂｂ」を選択したとしても異なる相手先電話番号「０４６−８＊９−２２３４」（電話機ＩＤ＝ｍ）、「０４６−８＊９−２０１６」のように異なる相手先に接続される。
【００４２】
従来は、電話帳メモリ１１０に登録される氏名と電話番号が１対１に対応するため、相手を一意に特定することが可能であったが、上記のように、利用者が、ニックネームが同一、または、相手先電話番号が同一となるような設定を行った場合でも、電話機ＩＤ毎に識別名がユニークになるように変換テーブル記憶部２３０に設定することで、自電話機のみで識別名を利用することが可能であり、仮に、識別名が流出しても他の電話機では使用することができない。
【００４３】
なお、上記の例では、変換テーブル記憶部２３０を交換機２００中に含めた構成としているが、この例に限定されることなく、図９に示すように、電話機１００と交換機２００との間に、送受信部３１０、前述の変換テーブル記憶部２３０に対応する変換テーブル記憶部３３０及び当該変換テーブル記憶部３３０に対する登録及び変換を行う機能を有する番号登録／変換部３２０からなる番号変換装置３００を設けることも可能である。
【００４４】
なお、本発明は、上記の実施の形態に限定されることなく、特許請求の範囲内において種々変更・応用が可能である。
【産業上の利用可能性】
【００４５】
本発明は、携帯電話機、固定電話機等の電話通信網に接続される電話通信技術に適用可能である。
【図面の簡単な説明】
【００４６】
【図１】本発明の原理を説明するための図である。
【図２】本発明の原理構成図である。
【図３】本発明の一実施の形態におけるシステム構成図である。
【図４】本発明の一実施の形態における相手先番号登録動作のシーケンスチャート（その１）である。
【図５】本発明の一実施の形態における相手先番号登録動作のシーケンスチャート（その２）である。
【図６】本発明の一実施の形態におけるシステム利用時の動作を説明するための図である。
【図７】本発明の一実施の形態におけるテーブルの例である。
【図８】本発明の一実施の形態における情報の変換のイメージ図である。
【図９】本発明の他の実施の形態におけるシステム構成図である。
【図１０】従来技術の流れである。
【符号の説明】
【００４７】
１００  電話機
１１０  電話帳記憶手段、電話帳メモリ
１２０  送受信部
１２１  番号登録要求手段
１２２  電話帳登録手段
１２３  発信要求手段
２００  交換機
２１０  電話機ＩＤ保持部
２２０  変換手段、変換部
２３０  記憶手段、変換テーブル記憶部
２４０  交換制御部
２４１  識別情報通知手段
２４２  テーブル登録手段
２５０  接続手段、回線交換部
３００  相手の電話機
【図１】
2009278337.tif 000003
【図２】
2009278337.tif 000004
【図３】
2009278337.tif 000005
【図４】
2009278337.tif 000006
【図５】
2009278337.tif 000007
【図６】
2009278337.tif 000008
【図７】
2009278337.tif 000009
【図８】
2009278337.tif 000010
【図９】
2009278337.tif 000011
【図１０】
2009278337.tif 000012